(57)【要約】【課題】ヒューズボックスへのヒュージブルリンクの挿入性を損なうことなく、ヒュージブルリンクの配列方向における寸法短縮を図ることができるヒューズブロックを提供する。【解決手段】複数のヒュージブルリンク１０と、これらヒュージブルリンクを収容するヒューズボックス２０とからなる。ヒューズボックスに、ヒュージブルリンクを一列に配列して収容するヒューズキャビティ２１Ａが設けられ、これら複数のヒューズキャビティが、平面視長方形の連続した１つの凹空間２１内に確保されている。該凹空間のヒュージブルリンクの配列方向と直交する方向に対向する一対の内壁２２Ａ、２２Ａに、各ヒューズキャビティ毎にガイドリブ２５が設けられ、ヒュージブルリンクのハウジング１０Ａに、ガイドリブに嵌まる溝部が設けられ、ガイドリブと溝部とが最初に嵌り合う部分に、嵌り合いを誘導する誘導案内部２５ａが設けられている。【選択図】図１
2010033800.tif 000002
【特許請求の範囲】
【請求項１】
横断面が略四角形のハウジングを有する複数のヒュージブルリンクと、これら複数のヒュージブルリンクを収容するヒューズボックスとからなり、前記ヒューズボックスに、前記複数のヒュージブルリンクを、前記ハウジングの平坦な外側面を互いに隣り合わせにした状態で一列に配列して収容する複数のヒューズキャビティが設けられ、これらヒューズキャビティに、それぞれ前記ヒュージブルリンクを上から挿入することで、当該ヒュージブルリンク内の端子と前記ヒューズキャビティの底面に設けた端子とを接続するヒューズブロックにおいて、
前記複数のヒューズキャビティを、平面視長方形の連続した１つの凹空間内に確保し、該凹空間の前記ヒュージブルリンクの配列方向と直交する方向に対向する一対の内壁に、前記各ヒューズキャビティ毎に、前記ヒュージブルリンクを前記ヒューズキャビティに挿入する方向に沿って延びるガイドリブを設け、一方、前記ヒュージブルリンクの各ハウジングに、前記ガイドリブに嵌まる溝部を設け、更に、前記ヒューズキャビティに対して前記ヒュージブルリンクを挿入する際に前記ガイドリブと前記溝部とが最初に嵌り合う部分に、前記ガイドリブと前記溝部との嵌り合いを誘導する誘導案内部を設けたことを特徴とするヒューズブロック。
【請求項２】
請求項１に記載のヒューズブロックであって、
前記ハウジングの横断面の４つの角部のうち少なくとも対角に位置する２つの角部に前記溝部を設け、それら溝部に対応する位置に前記ガイドリブを設け、隣接する２つの前記ヒューズキャビティにおける２つの前記ガイドリブを１つの合体リブで構成したことを特徴とするヒューズブロック。
【請求項３】
請求項２に記載のヒューズブロックであって、
前記ガイドリブの幅を前記溝部の幅と等しく設定し、前記合体リブの幅を前記ガイドリブの幅の２倍に設定し、前記ヒュージブルリンクの配列方向における前記合体リブの配置ピッチを前記ヒュージブルリンクのハウジングの幅に等しく設定したことを特徴とするヒューズブロック。
【請求項４】
請求項２または３に記載のヒューズブロックであって、
前記合体リブを、前記対向する一対の内壁のうちの一方と他方に交互に配置することで千鳥状に配列したことを特徴とするヒューズブロック。
【発明の詳細な説明】
【技術分野】
【０００１】
本発明は、複数のヒュージブルリンクをヒューズボックスに収納することで構成されるヒューズブロックに関するものである。
【背景技術】
【０００２】
図７は従来のヒューズブロックの構成を示す斜視図、図８は同平面図である。
【０００３】
このヒューズブロックは、内部にヒューズエレメントを内蔵した樹脂製のハウジング１１０Ａを有する複数のヒュージブルリンク１１０と、これら複数のヒュージブルリンク１１０を収容するヒューズボックス１２０とからなる。ハウジング１１０Ａは、横断面が略四角形であり、互いに対向する２組の平坦な外側面１１１、１１２を有している。
【０００４】
ヒューズボックス１２０には、複数のヒュージブルリンク１１０を、ハウジング１１０Ａの一方の外側面１１１を互いに隣り合わせにした状態で一列に配列して収容できるように複数のヒューズキャビティ１２１が設けられている。この場合、各ヒューズキャビティ１２１は、２組の対向側壁１２２、１２２、１２３、１２３と仕切壁１２４とで、それぞれ個別に四方が囲われている。
【０００５】
そして、これらヒューズキャビティ１２１に、それぞれヒュージブルリンク１１０を上から挿入することにより、当該ヒュージブルリンク１１０内の端子とヒューズキャビティ１２１の底面に設けた端子１２８とを接続することができるようになっている。
【０００６】
このように、通常のヒューズボックス１２０では、ヒュージブルリンク１１０の組付時にヒュージブルリンク１１０の位置をそれぞれ決めるために、ヒューズキャビティ１２１の四方を壁で囲っている（例えば、特許文献１参照）。
【特許文献１】特開２００１−２８３７１１号公報
【発明の開示】
【発明が解決しようとする課題】
【０００７】
ところで、従来のヒューズブロックでは、例えば、図７、図８に示すように、ヒューズボックス１２０に必ずヒューズキャビティ１２１間を仕切るための仕切壁１２４を設けているので、ヒュージブルリンク１１０の配置ピッチＰが、ヒュージブルリンク１１０の幅Ｓに仕切壁１２４の厚みｈを加えた値になり、その結果、ヒューズボックス１２０の寸法が大きくなってしまうという問題があった。
【０００８】
本発明は、上記事情を考慮し、ヒューズボックスへのヒュージブルリンクの挿入性を損なうことなく、ヒュージブルリンクの配列方向における寸法短縮を図ることのできるヒューズブロックを提供することを目的とする。
【課題を解決するための手段】
【０００９】
請求項１の発明のヒューズブロックは、横断面が略四角形のハウジングを有する複数のヒュージブルリンクと、これら複数のヒュージブルリンクを収容するヒューズボックスとからなり、前記ヒューズボックスに、前記複数のヒュージブルリンクを、前記ハウジングの平坦な外側面を互いに隣り合わせにした状態で一列に配列して収容する複数のヒューズキャビティが設けられ、これらヒューズキャビティに、それぞれ前記ヒュージブルリンクを上から挿入することで、当該ヒュージブルリンク内の端子と前記ヒューズキャビティの底面に設けた端子とを接続するヒューズブロックにおいて、前記複数のヒューズキャビティを、平面視長方形の連続した１つの凹空間内に確保し、該凹空間の前記ヒュージブルリンクの配列方向と直交する方向に対向する一対の内壁に、前記各ヒューズキャビティ毎に、前記ヒュージブルリンクを前記ヒューズキャビティに挿入する方向に沿って延びるガイドリブを設け、一方、前記ヒュージブルリンクの各ハウジングに、前記ガイドリブに嵌まる溝部を設け、更に、前記ヒューズキャビティに対して前記ヒュージブルリンクを挿入する際に前記ガイドリブと前記溝部とが最初に嵌り合う部分に、前記ガイドリブと前記溝部との嵌り合いを誘導する誘導案内部を設けたことを特徴としている。
【００１０】
請求項２の発明は、請求項１に記載のヒューズブロックであって、前記ハウジングの横断面の４つの角部のうち少なくとも対角に位置する２つの角部に前記溝部を設け、それら溝部に対応する位置に前記ガイドリブを設け、隣接する２つの前記ヒューズキャビティにおける２つの前記ガイドリブを１つの合体リブで構成したことを特徴としている。
【００１１】
請求項３の発明は、請求項２に記載のヒューズブロックであって、前記ガイドリブの幅を前記溝部の幅と等しく設定し、前記合体リブの幅を前記ガイドリブの幅の２倍に設定し、前記ヒュージブルリンクの配列方向における前記合体リブの配置ピッチを前記ヒュージブルリンクのハウジングの幅に等しく設定したことを特徴としている。
【００１２】
請求項４の発明は、請求項２または３に記載のヒューズブロックであって、前記合体リブを、前記対向する一対の内壁のうちの一方と他方に交互に配置することで千鳥状に配列したことを特徴としている。
【発明の効果】
【００１３】
請求項１の発明によれば、ヒュージブルリンクのハウジングに形成した溝部を、ヒューズボックスのガイドリブに嵌め合わせながら、ヒュージブルリンクをヒューズボックスに挿入することにより、ガイドリブの案内作用によって、ヒューズキャビティ間に仕切壁がなくても、スムーズにヒュージブルリンクをヒューズボックスに挿入することができる。従って、ヒューズキャビティの底面の端子を狙ってヒュージブルリンクをヒューズキャビティに挿入しなくても、ガイドリブに沿ってヒュージブルリンクを挿入するだけで、適正位置にヒュージブルリンクを装着することができ、ヒュージブルリンク側の端子とヒューズボックス側の端子をスムーズに接続することができる。その際、ガイドリブと溝部とが最初に嵌り合う部分に誘導案内部を設けていることから、ガイドリブと溝部を容易に嵌り合わせることができる。
【００１４】
また、複数のヒューズキャビティを１つの連続した凹空間内に形成することで、ヒューズキャビティ間の仕切壁を無くしているので、仕切壁の厚みの合計分だけ、ヒュージブルリンクの配列方向の寸法を短縮することができ、小型化、省スペース化、および軽量化を図ることができる。また、仕切壁を無くしたことにより、樹脂成形する際の成形性もよくなる。また、ガイドリブと溝部の寸法の組み合わせを定格値の異なるヒューズ毎に違えることにより、定格値の違うヒュージブルリンクを間違ってヒューズボックスに装着するミスを防止することができる。
【００１５】
請求項２の発明によれば、ハウジングの横断面の４つの角部のうち少なくとも対角に位置する２つの角部に溝部を設けて、それら溝部をガイドリブに嵌め合わせるようにしたので、溝部とガイドリブの位置合わせを容易に行うことができるようになり、ヒューズボックスに対するヒュージブルリンクのスムーズな挿入性を確保することができる。また、隣接する２つのヒューズキャビティにおける２つのガイドリブを１つの合体リブで構成しているので、リブの本数を少なくすることができ、加工性を良くすることができる。
【００１６】
請求項３の発明によれば、複数のヒュージブルリンクを隙間なく一列に並べた状態でヒューズボックスに収納することができ、ヒュージブルリンクの配列方向における最大の寸法短縮を図ることができる。
【００１７】
請求項４の発明によれば、合体リブを千鳥状に配列したので、最小のガイドリブ個数で適正な案内作用を果たすことができる。
【発明を実施するための最良の形態】
【００１８】
以下、本発明の実施形態を図面を参照して説明する。
【００１９】
図１は実施形態のヒューズブロックを構成するヒューズボックスにヒュージブルリンクを組み付けている途中の状態を示す斜視図、図２は同平面図、図３（ａ）はヒュージブルリンクを組み付ける前のヒューズボックスの平面図、図３（ｂ）はガイドリブの先端部の拡大斜視図である。
【００２０】
このヒューズブロックは、内部にヒューズエレメントを内蔵した樹脂製のハウジング１０Ａを有する複数のヒュージブルリンク１０と、これら複数のヒュージブルリンク１０を収容するヒューズボックス２０とから構成されている。ヒュージブルリンク１０のハウジング１０Ａは、横断面が略四角形をなしており、互いに対向する２組の平坦な外側面１１、１２を有している。
【００２１】
ヒューズボックス２０には、複数のヒュージブルリンク１０を、ハウジング１０Ａの一方の外側面１１を互いに隣り合わせにした状態で一列に配列して収容できるよう、複数のヒューズキャビティ２１Ａが設けられている。
【００２２】
この場合、複数のヒューズキャビティ２１Ａは、互いに直交する関係にある２組の平行な対向側壁２２、２２、２３、２３と底壁２４とで囲まれた上面開放の平面視長方形の連続した１つの凹空間２１内に確保されており、隣接するヒューズキャビティ２１Ａ間に仕切壁は存在しない。
【００２３】
また、凹空間２１のヒュージブルリンク１０の配列方向と直交する方向に対向する一対の内壁（側壁２２の内面２２Ａ）には、各ヒューズキャビティ２１Ａ毎に、ヒュージブルリンク１０をヒューズキャビティ２１Ａに挿入する方向に沿って延びる角柱状のガイドリブ２５が設けられている。また、ヒュージブルリンク１０の各ハウジング１０Ａには、ガイドリブ２５に嵌まる断面矩形の溝部１５が設けられている。
【００２４】
ここでは、溝部１５は、ハウジング１０Ａの横断面の４つの角部に設けられており、それらの溝部１５に対応する位置、つまり、ハウジング１０Ａの４つの角部に対応する位置にガイドリブ２５が設けられている。
【００２５】
特に、隣接する２つのヒューズキャビティ２１Ａにおける２つのガイドリブ２５は、１つの角柱状の合体リブ２６によって構成されている。ここで、ガイドリブ２５の幅ｂは溝部１５の幅ａと等しく設定され、合体リブ２６の幅ｃはガイドリブの幅ｂの２倍に設定され、ヒュージブルリンク１０の配列方向における合体リブ２６のピッチＰ１はヒュージブルリンク１０のハウジング１０Ａの幅Ｓに等しく設定されている。従って、ヒュージブルリンク１０の配置ピッチＰ２は、ハウジング１０Ａの幅Ｓにほぼ等しくなる。
【００２６】
更に、ヒューズキャビティ２１Ａに対してヒュージブルリンク１０を挿入する際にガイドリブ２５と溝部１５とが最初に嵌り合う部分に、ガイドリブ２５と溝部１５との嵌り合いを誘導する誘導案内部２５ａが設けられている。即ち、この実施形態では、ガイドリブ２５の先端（ヒュージブルリンクを挿入する際の入口側の端部）にテーパ状の窄まり部が誘導案内部２５ａとして設けられている。なお、溝部１５の下端部にラッパ状の拡がり部を誘導案内部として形成してもよいし、ガイドリブ２５側の窄まり部と溝部１５側のラッパ状の拡がり部とを組み合わせて設けてもよい。
【００２７】
そして、これらヒューズキャビティ２１Ａに、それぞれヒュージブルリンク１０を上から挿入することにより、当該ヒュージブルリンク１０内の端子（図示略）とヒューズキャビティ２１Ａの底面（底壁２４）に設けられた端子２８とを接続することができるようになっている。
【００２８】
本実施形態のヒューズブロックはこのように構成されているので、ヒュージブルリンク１０のハウジング１０Ａに形成した溝部１５を、ヒューズボックス２０のガイドリブ２５に嵌め合わせながら、ヒュージブルリンク１０をヒューズボックス２０に挿入することにより、ガイドリブ２５の案内作用によって、隣接するヒューズキャビティ２１Ａ間に仕切壁がなくても、スムーズにヒュージブルリンク１０をヒューズボックス２０に挿入することができる。
【００２９】
従って、ヒューズキャビティ２１Ａの底面（底壁２４）の端子２８を狙ってヒュージブルリンク１０をヒューズキャビティ２１Ａに挿入しなくても、ガイドリブ２５に沿ってヒュージブルリンク１０を挿入するだけで、適正位置にヒュージブルリンク１０を容易に装着することができ、ヒュージブルリンク１０側の端子とヒューズボックス２０側の端子２８をスムーズに接続することができる。その際、ガイドリブ２５と溝部１５とが最初に嵌り合う部分に誘導案内部２５ａを設けているので、ガイドリブ２５と溝部１５を容易に嵌り合わせることができる。
【００３０】
また、複数のヒューズキャビティ２１Ａを１つの連続した凹空間２１内に形成することで、ヒューズキャビティ２１Ａ間の仕切壁を無くしているので、仕切壁の厚みの合計分だけ、ヒュージブルリンク１０のピッチＰ２を小さくすることができ、ヒューズブロックの配列方向の寸法を短縮することができ、小型化、省スペース化、および軽量化を図ることができる。また、仕切壁を無くしたことにより、樹脂成形する際の成形性もよくなる。
【００３１】
また、図４に示すように、ガイドリブ２５と溝部１５の寸法の組み合わせを定格値の異なるヒュージブルリンク１０Ｘ（２０Ａのもの）、１０Ｙ（８０Ａのもの）毎に違えておくことにより、定格値の違うヒュージブルリンク１０Ｘ、１０Ｙを間違ってヒューズボックスに装着するミスを防止することができる。
【００３２】
例えば、図４に示すように、ヒューズボックス側の合体リブ２６の幅を、２０Ａ（アンペア）のヒュージブルリンク１０Ｘの溝部１５のみが嵌まるように、溝部１５の幅２Ｗに合わせて４Ｗに設定し、８０Ａ（アンペア）のヒュージブルリンク１０Ｙの溝部１５の幅をＷとしておく。そうすると、両端の溝部１５が両側の合体リブ２６の角部（ガイドリブ２５に相当する部分）に嵌まることで、２０Ａのヒュージブルリンク１０Ｘは、適正に装着することはできる（○）が、８０Ａのヒュージブルリンク１０Ｙは、装着することはできない（×）。それにより、誤装着を防止することができる。
【００３３】
また、本実施形態では、ハウジング１０Ａの横断面の４つの角部に溝部１５を設けて、それら溝部１５をガイドリブ２５に嵌め合わせるようにしているので、角部ゆえに溝部１５とガイドリブ２５の位置合わせを容易に行うことができるようになり、ヒューズボックス２０に対するヒュージブルリンク１０のスムーズな挿入性を確保することができる。
【００３４】
また、隣接する２つのヒューズキャビティ２１Ａにおける２つのガイドリブ２５を１つの合体リブ２６で構成しているので、リブの本数を少なくすることができ、加工性を良くすることができる。
【００３５】
また、上記のようにガイドリブ２５、合体リブ２６、溝部１５の幅寸法ｂ、ｃ、ａを設定しているので、複数のヒュージブルリンク１０を隙間なく一列に並べた状態でヒューズボックス２０に収納することができ、ヒュージブルリンク１０の配列方向における最大の寸法短縮を図ることができる。
【００３６】
なお、上記実施形態では、ヒューズボックス２０に角柱状のガイドリブ２５を設けた場合を示したが、図５（ａ）、（ｂ）に示すように、ヒューズボックス３０に三角柱状のガイドリブ３５および合体リブ３６を設け、それらの先端に先窄まり形状の誘導案内部３５ａを形成してもよく、ガイドリブの断面形状は問わない。
【００３７】
また、上記実施形態では、ヒュージブルリンク１０のハウジング１０Ａの４つの角部の全ての溝部１５に対応するようにガイドリブ２５を設けた場合を示したが、対角の位置にある２つの角部の溝部１５に対応するようにガイドリブ２５を設けてありさえすればよい。
【００３８】
従って、図６に示すように、前記合体リブ２６を、凹空間２１の対向する一対の内壁（側壁２２の内面２２Ａ）のうちの一方と他方に交互に配置することで千鳥状に配列してもよい。こうすれば、最小個数のガイドリブで適正な案内作用を果たすことができる。
【００３９】
また、上記実施形態では、ヒュージブルリンク１０のハウジング１０Ａの角部に溝部１５を設けた場合を示したが、角部以外に溝部を設け、その溝部に対応する位置にガイドリブを設けてもよい。
【図面の簡単な説明】
【００４０】
【図１】本発明の実施形態のヒューズブロックを構成するヒューズボックスにヒュージブルリンクを組み付けている途中の状態を示す斜視図である。
【図２】図１と同じ状態の平面図である。
【図３】（ａ）は前記ヒュージブルリンクを組み付ける前のヒューズボックスの平面図、（ｂ）はガイドリブの先端部の拡大斜視図である。
【図４】異なる定格値のヒュージブルリンクは装着できないようにガイドリブと溝部の幅を規定した場合の例を示す要部の平面図である。
【図５】本発明の他の実施形態のヒューズボックスの構成図で、（ａ）は全体平面図、（ｂ）はガイドリブの先端部の形状を示す拡大斜視図である。
【図６】本発明の更に他の実施形態のヒューズボックスの平面図である。
【図７】従来のヒューズブロックの構成を示す斜視図である。
【図８】同従来のヒューズブロックの構成を示す平面図である。
【符号の説明】
【００４１】
１０  ヒュージブルリンク
１０Ａ  ハウジング
１１  外側面
１５  溝部
２０，３０  ヒューズボックス
２１  凹空間
２１Ａ  ヒューズキャビティ
２２Ａ  側壁の内面（内壁）
２５，３５  ガイドリブ
２５ａ，３５ａ  誘導案内部
２６，３６  合体リブ
ａ  溝部の幅
ｂ  ガイドリブの幅
ｃ  合体リブの幅
Ｓ  ハウジングの幅
Ｐ１  合体リブの配置ピッチ
【図１】
2010033800.tif 000003
【図２】
2010033800.tif 000004
【図３】
2010033800.tif 000005
【図４】
2010033800.tif 000006
【図５】
2010033800.tif 000007
【図６】
2010033800.tif 000008
【図７】
2010033800.tif 000009
【図８】
2010033800.tif 000010